(57)【要約】【課題】有機ＥＬ素子の破損などの不具合を防止すると共に均一な発光を行うことができる照明装置を提供することを課題とする。【解決手段】有機ＥＬ素子３と放熱板１との間には、所定の弾性力を有する熱伝導性弾性部材２が配置されているため、放熱板１に外部から力が加わっても、熱伝導性弾性部材２によりその際の衝撃や振動等が吸収されて有機ＥＬ素子３が保護され、これにより有機ＥＬ素子３の破損などの不具合が防止される。また、各有機ＥＬ素子３は熱伝導性弾性部材２を介して放熱板１上に配置されるため、有機ＥＬ素子３の放熱板１への片当たりが防止されて均一な発光を行うことができる。【選択図】図１
2006324199.tif 000002
【特許請求の範囲】
【請求項１】
放熱板上に配置された有機ＥＬ素子により発光を行う照明装置において、
前記放熱板と前記有機ＥＬ素子との間にシート状の熱伝導性弾性部材
を備えることを特徴とする照明装置。
【請求項２】
１枚の前記熱伝導性弾性部材上に複数の前記有機ＥＬ素子が配置されている請求項１に記載の照明装置。
【請求項３】
複数の前記有機ＥＬ素子は、互いに間隔をあけて配置されている請求項２に記載の照明装置。
【請求項４】
１枚の前記熱伝導性弾性部材上に１つの前記有機ＥＬ素子が配置されている請求項１に記載の照明装置。
【請求項５】
予め前記熱伝導性弾性部材の両面に接着剤が塗布されており、前記放熱板上に前記接着剤を介して前記熱伝導性弾性部材が貼り付けられると共に前記熱伝導性弾性部材上に前記接着剤を介して前記有機ＥＬ素子が貼り付けられている請求項１〜４のいずれか一項に記載の照明装置。
【請求項６】
透光性を有すると共に前記放熱板上の前記熱伝導性弾性部材及び前記有機ＥＬ素子を覆う保護カバーをさらに備え、前記有機ＥＬ素子の上面に前記保護カバーが当接されている請求項１〜５のいずれか一項に記載の照明装置。
【請求項７】
前記有機ＥＬ素子の上面の一部に、前記有機ＥＬ素子を保持する保持部材を設け、前記保持部材と前記保護カバーが当接されている請求項６に記載の照明装置。
【発明の詳細な説明】
【技術分野】
【０００１】
この発明は、照明装置に係り、特に有機ＥＬ（エレクトロルミネッセンス）素子により発光を行う照明装置に関する。
【背景技術】
【０００２】
近年、有機ＥＬ素子を用いた薄型で軽量の照明装置の開発が進められている。この照明装置は、基板上に第１電極層と有機発光層と第２電極層とが順次積層された構造を持つ有機ＥＬ素子を有しており、その第１電極層と第２電極層との間に電界を形成して有機発光層を発光させることにより照明を行うことができる。
ところが、一般に、有機ＥＬ素子では、有機ＥＬ素子の温度によりその輝度が変化するため、長時間続けて発光させた場合などに、温度分布が生じて発光面の輝度が一定でなくなるおそれがある。また、輝度が変化すると色度も変化するため、照明される物体の見え方が異なってくる不都合が生じる恐れがある。さらに温度が高くなると、有機ＥＬ素子の劣化が進む。
【０００３】
そこで、例えば特許文献１に開示されている有機ＥＬ表示装置では、有機ＥＬ素子をＡｌ等からなる放熱板上に接着し、有機ＥＬ素子で発生した熱を放熱板を介して外部に放散させるように構成されている。
【０００４】
【特許文献１】特開２００２−３４３５５９号公報
【発明の開示】
【発明が解決しようとする課題】
【０００５】
しかしながら、特許文献１のように放熱板上に直接に有機ＥＬ素子を接着すると、放熱板に外部から力が加わった際に、その衝撃により有機ＥＬ素子が破損する等の不具合を生じるおそれがある。
また、放熱板上に有機ＥＬ素子を直接に接着した場合、放熱板に有機ＥＬ素子の一部が片当たりすることがあり、その場合、片当たりした部分と、片当たりしていない部分との温度差が発生することにより有機ＥＬ素子の発光が不均一になるという問題があった。
この発明はこのような問題点を解消するためになされたもので、有機ＥＬ素子の破損などの不具合を防止すると共に均一な発光を行うことができる照明装置を提供することを目的とする。
【課題を解決するための手段】
【０００６】
この発明に係る照明装置は、放熱板上に配置された有機ＥＬ素子により発光を行う照明装置において、放熱板と有機ＥＬ素子との間に所定の厚さを有するシート状の熱伝導性弾性部材を配置することにより、放熱板に外力が加わった際の衝撃から有機ＥＬ素子を保護すると共に有機ＥＬ素子から放熱板への放熱を促すものである。この構成により、耐衝撃性の向上と共に、輝度や色度の変化も抑えることができる。
【０００７】
１枚の熱伝導性弾性部材上に複数の有機ＥＬ素子を配置することができ、この場合、複数の有機ＥＬ素子を互いに間隔をあけて配置することが好ましい。この構成により、有機ＥＬ素子の接触による破損を回避できる。
また、１枚の熱伝導性弾性部材上に１つの有機ＥＬ素子が配置することもできる。この構成により、隣り合う有機ＥＬ素子同士の熱に影響されずに放熱できる。
【０００８】
また、予め熱伝導性弾性部材の両面に接着剤が塗布されており、放熱板上に接着剤を介して熱伝導性弾性部材を貼り付けると共に熱伝導性弾性部材上に接着剤を介して有機ＥＬ素子を貼り付けることができる。
また、透光性を有する保護カバーにより直接に、又は保持部材を介して放熱板上の熱伝導性弾性部材及び有機ＥＬ素子を覆うことも好ましい。この構成により、有機ＥＬ素子が発生した熱を、熱伝導性弾性部材及び保護カバーの両方で放熱できるとともに、有機ＥＬ素子を上下両面からの衝撃力から保護することができる。
【発明の効果】
【０００９】
この発明によれば、有機ＥＬ素子の破損などの不具合を防止すると共に均一な発光を行うことができる。
【発明を実施するための最良の形態】
【００１０】
以下、この発明の実施の形態を添付図面に基づいて説明する。
実施の形態１．
図１に、この発明の実施の形態１に係る照明装置の構成を示す。金属板からなる放熱板１の表面上に、シート状の１枚の熱伝導性弾性部材２が配置されており、この熱伝導性弾性部材２の表面上に複数の有機ＥＬ（エレクトロルミネッセンス）素子３が互いに間隔をあけて配置されている。ここで、熱伝導性弾性部材２は、高い熱伝導性を有するシリコーンゴムからなると共に１ｍｍ程度の厚さに形成されて所定の弾力性を有している。また、この熱伝導性弾性部材２には予めその両面にそれぞれ図示しない接着剤が塗布されており、放熱板１の表面上に熱伝導性弾性部材２の一方の面が接着剤を介して貼り付けられると共に、熱伝導性弾性部材２の他方の面の上に接着剤を介して複数の有機ＥＬ素子３が貼り付けられている。
【００１１】
なお、放熱板１の表面上には、透光性を有する樹脂またはガラスから形成された筐体状の保護カバー４が固定されており、この保護カバー４により放熱板１上の熱伝導性弾性部材２及び複数の有機ＥＬ素子３が覆われている。また、放熱板１として、高い熱伝導性を有するＡｌまたはＣｕ等からなる金属板を用いるものとする。
また、各有機ＥＬ素子３は、面発光源として用いられるものであり、基板とこの基板上に順次積層形成される第１電極層と有機発光層と第２電極層とを有している。また、基板上の第１電極層及び有機発光層及び第２電極層は膜封止されて外部からの水分やガス等の進入が防止されている。
【００１２】
次に、この実施の形態１に係る照明装置の作用について説明する。各有機ＥＬ素子３の第１電極層と第２電極層との間に電界を形成して有機発光層を発光させることにより各有機ＥＬ素子３の出射面から図１に破線矢印で示されるような光Ｌが出射されると共に、この光Ｌが保護カバー４を透過して外部に出射されることにより照明が行われる。
ここで、それぞれの有機ＥＬ素子３と放熱板１との間には、所定の弾性力を有する熱伝導性弾性部材２が配置されているため、放熱板１に外部から力が加わっても、熱伝導性弾性部材２によりその際の衝撃や振動等が吸収されて有機ＥＬ素子３が保護される。例えば、放熱板１に図１の下方から上方に向かって衝撃力が加わっても、熱伝導性弾性部材２は１ｍｍ程度の厚さを有しているため、熱伝導性弾性部材２が厚さ方向に変形する等してその衝撃力が吸収されることにより有機ＥＬ素子３まで伝わりにくくなる。したがって、有機ＥＬ素子３が破損する等の不具合を防止することができる。また、振動に対しても、有機ＥＬ素子が動くことがない。
【００１３】
また、各有機ＥＬ素子３は熱伝導性弾性部材２を介して放熱板１上に配置されるため、有機ＥＬ素子３の放熱板１への片当たりが防止され、これにより均一な発光を行うことができる。
また、熱伝導性弾性部材２は高い熱伝導性を有すると共に放熱板１も高い熱伝導性を有するため、有機ＥＬ素子３で発生した熱は熱伝導性弾性部材２を通って効率よく放熱板１に伝達されると共に放熱板１から外部へ放散される。
さらに、複数の有機ＥＬ素子３は互いに間隔をあけて配置されるため、互いに隣接する有機ＥＬ素子３同士が接触することにより破損する等の不具合も防止することができる。
【００１４】
実施の形態２．
次に図２を参照して、この発明の実施の形態２に係る照明装置を説明する。この実施の形態２は、実施の形態１の照明装置において、１枚の熱伝導性弾性部材２の代わりに、複数枚の熱伝導性弾性部材１１を用意し、それぞれの熱伝導性弾性部材１１の上に１つの有機ＥＬ素子３を配置したものである。すなわち、放熱板１の表面上にシート状の複数の熱伝導性弾性部材１１が並べて配置されており、各熱伝導性弾性部材１１の表面上に１つの有機ＥＬ素子３が配置されている。また、各有機ＥＬ素子３は隣接する有機ＥＬ素子３に対して間隔を有するように配置される。なお、熱伝導性弾性部材１１も、実施の形態１における熱伝導性弾性部材２と同様に、高い熱伝導性を有するシリコーンゴムからなると共に１ｍｍ程度の厚さに形成されて所定の弾力性を有している。
【００１５】
このような構成にしても、熱伝導性弾性部材１１により、放熱板１に外力が加わった際の衝撃や振動等から有機ＥＬ素子３が保護されると共に有機ＥＬ素子３の放熱板１への片当たりが防止され、上述の実施の形態１と同様の効果を得ることができる。
【００１６】
なお、上述の実施の形態１及び２において、熱伝導性弾性部材２及び１１は、シリコーンゴムだけでなく、高い熱伝導性を有するその他各種のゴムから形成することができる。
また、有機ＥＬ素子３は、膜封止の代わりに、缶封止されていてもよい。
【００１７】
また、上述の実施の形態１及び２において、保護カバー４を各有機ＥＬ素子３上面に当接させて有機ＥＬ素子３を押さえることもできる。
また、別の実施の形態として、図３に示すように、有機ＥＬ素子３を押さえるための保持部材１２を保護カバー４と各有機ＥＬ素子３上面との間に挟んで有機ＥＬ素子３を押さえることもできる。この場合、保持部材１２として、透光性を有する熱伝導性弾性部材を用いれば、有機ＥＬ素子３の上面側への衝撃力も吸収することができるだけでなく、有機ＥＬ素子３で発生した熱をその上面からも保持部材１２及び保護カバー４を介して外部に放散させることができる。また、例えば、各有機ＥＬ素子３をその非発光部だけで押さえる、あるいは有機ＥＬ素子３の外周部を押さえる保持部材１２を設けることもできる。
このように保護カバー４により直接に、または保持部材１２を介して有機ＥＬ素子３を押さえれば、上述の実施の形態１及び２のように、接着剤を用いて有機ＥＬ素子３を熱伝導性弾性部材２及び１１の表面上に貼り付ける必要がなくなる。
【図面の簡単な説明】
【００１８】
【図１】この発明の実施の形態１に係る照明装置を示す断面図である。
【図２】この発明の実施の形態２に係る照明装置を示す断面図である。
【図３】この発明の別の実施の形態に係る照明装置を示す断面図である。
【符号の説明】
【００１９】
１  放熱板、２，１１  熱伝導性弾性部材、３  有機ＥＬ素子、４  保護カバー  １２保持部材。
【図１】
2006324199.tif 000003
【図２】
2006324199.tif 000004
【図３】
2006324199.tif 000005